(57)【要約】【課題】多くの情報を用いることなく快適性の評価を行い、省エネルギー運転の実施可否を判断する、ことを目的とする。【解決手段】空調機制御装置１８は、室内機の吸込み温度を検知する第１温度センサ２０と、冷媒の蒸発温度に相当する室内熱交温度を検知する第２温度センサ２２と、吸い込み温度及び室内熱交温度に基づいた相対湿度を用いて、不快指数を導出する不快指数導出部２６と、室内機の運転を開始させてからの設定温度の変更履歴に基づいた不快指数である設定不快指数を導出する設定不快指数導出部２８と、不快指数が設定不快指数を超えない場合に、空気調和機に省エネルギー運転を行わせる制御部３０と、を備える。【選択図】図２
2013130371.tif 000002
【特許請求の範囲】
【請求項１】
室内機の吸込み温度を検知する第１温度検知手段と、
冷媒の蒸発温度を検知する第２温度検知手段と、
前記第１温度検知手段によって検知された前記吸い込み温度及び前記第２温度検知手段によって検知された前記蒸発温度に基づいた相対湿度を用いて、不快指数を導出する不快指数導出手段と、
前記室内機の運転を開始させてからの設定温度の変更履歴に基づいた不快指数である設定不快指数を導出する設定不快指数導出手段と、
前記不快指数導出手段によって導出された前記不快指数が前記設定不快指数導出手段によって導出された前記設定不快指数を超えない場合に、空気調和機に省エネルギー運転を行わせる制御手段と、
を備えた空気調和機の制御装置。
【請求項２】
前記第２温度検知手段は、前記室内機に流される冷媒の循環量を一定に保ちながら運転している状態において、前記蒸発温度を検知する請求項１記載の空気調和機の制御装置。
【請求項３】
前記設定不快指数導出手段は、一台の室外機に対して複数の前記室内機が設けられている場合、前記設定温度を変化させた前記室内機の容量割り合いに応じて、前記設定不快指数を導出する請求項１又は請求項２記載の空気調和機の制御装置。
【請求項４】
前記設定不快指数導出手段は、前記室内機が起動してから室温が安定する所定時間経過した後における、前記設定温度の変更履歴に基づいて前記設定不快指数を導出する請求項１から請求項３の何れか１項記載の空気調和機の制御装置。
【請求項５】
室外機と、
室内機と、
請求項１から請求項４の何れか１項記載の制御装置と、
を備えた空気調和機。
【請求項６】
室内機の吸込み温度、及び冷媒の蒸発温度を検知する第１工程と、
検知した前記吸い込み温度及び前記蒸発温度に基づいた相対湿度を用いて、不快指数を導出する第２工程と、
前記室内機の運転を開始させてからの設定温度の変更履歴に基づいた不快指数である設定不快指数を導出する第３工程と、
導出した前記不快指数が前記設定不快指数を超えない場合に、空気調和機に省エネルギー運転を行わせる第４工程と、
を含む空気調和機の制御方法。
【発明の詳細な説明】
【技術分野】
【０００１】
本発明は、空気調和機の制御装置、空気調和機、及び空気調和機の制御方法に関するものである。
【背景技術】
【０００２】
昨今の省エネルギーの要求の高まりに伴い、業務用の空気調和機においても省エネルギーの運転が要求される。
業務用の空気調和機では、室外機と室内機との配管の長さや多台数の接続等、非常に広範囲の接続条件下でも快適性・信頼性を維持する必要があるため、通常の接続条件においては無駄又は過剰と思われる運転となっている制御がある。このため、このような無駄又は過剰な運転を低減することで省エネルギーの実現を図っている。
また、設備によっては、省エネルギーのために、消費電力量を抑制するような運転が求められる場合もある。この場合、問題となるのが空気調和機の利用者にとっての快適性である。省エネルギー運転の大部分は、空気調和機の能力を低下させることとなるため、快適性を低下させる可能性がある。
そこで、利用者に大きな不快感を与えずに適切に省エネルギーを実現させるためには、快適性における限界ポイントを明確に定めて省エネルギー運転を実施する必要がある。
ここで、特許文献１には、空気調和機が具備する室内外の環境条件を検知する複数のセンサ手段と、センサ手段の前状態を保持する記憶手段と、センサ手段と記憶手段よりの出力、利用者の設定した温度から室内の人間の快適感を推測する推測手段より推測した室内の人間の快適感に基づき空気調和機の圧縮機運転周波数の運転周波数テーブルの制御信号を生成する、空気調和機の制御装置が記載されている。
【先行技術文献】
【特許文献】
【０００３】
【特許文献１】特許第３１３９０７９号公報
【発明の概要】
【発明が解決しようとする課題】
【０００４】
特許文献１に記載されている空気調和機の制御装置では、推測手段により推測される室内の人間の快適感をＰＭＶ（Predicted  Mean  Vote：予測平均投票数）、又はＳＥＴ（Standard  new  Effective  Temperature：標準新有効温度）として求めている。ＰＭＶとは、人間が感じる温冷感の指標である。より具体的には、複数の人間が感じる温冷感の平均値であり、室外温度、吸い込み温度、吸い込み温度傾斜、風量、利用者の設定温度という人間の状態と室内の環境に基づいて、算出される。ＳＥＴは、人間の生理状態や感覚を予測した指標であり、気温、湿度、気流、放射熱、及び着衣量に基づいて、気流の無い相対湿度５０％の場合と同じ体感となる気温で表される。このように、ＰＭＶやＳＥＴを用いる制御では、湿度、風速、及び着衣量等多くの情報を必要とする。そのため、条件が日々変動する実際の空気調和機の使用状況で適用することは困難である。
【０００５】
本発明は、このような事情に鑑みてなされたものであって、多くの情報を用いることなく快適性の評価を行い、省エネルギー運転の実施可否を判断できる、空気調和機の制御装置、空気調和機、及び空気調和機の制御方法を提供することを目的とする。
【課題を解決するための手段】
【０００６】
上記課題を解決するために、本発明の空気調和機の制御装置、空気調和機、及び空気調和機の制御方法は以下の手段を採用する。
【０００７】
すなわち、本発明の第１態様に係る空気調和機の制御装置は、室内機の吸込み温度を検知する第１温度検知手段と、冷媒の蒸発温度を検知する第２温度検知手段と、前記第１温度検知手段によって検知された前記吸い込み温度及び前記第２温度検知手段によって検知された前記蒸発温度に基づいた相対湿度を用いて、不快指数を導出する不快指数導出手段と、前記室内機の運転を開始させてからの設定温度の変更履歴に基づいた不快指数である設定不快指数を導出する設定不快指数導出手段と、前記不快指数導出手段によって導出された前記不快指数が前記設定不快指数導出手段によって導出された前記設定不快指数を超えない場合に、空気調和機に省エネルギー運転を行わせる制御手段と、を備える。
【０００８】
本構成によれば、第１温度検知手段によって、室内機の吸込み温度が検知され、第２温度検知手段によって、冷媒の蒸発温度が検知される。室内機の吸込み温度は、すなわち室温である。冷媒の蒸発温度は、室内機の熱負荷によって変化するものであり、室内熱交換器の温度に相当する。なお、本構成の制御装置が備えられる空気調和機は、１台の室外機に複数台の室内機が接続されてもよいし、１台の室外機に１台の室内機が接続されてもよい。
【０００９】
また、不快指数導出手段によって、吸い込み温度及び蒸発温度に基づいた相対湿度を用いて、不快指数が導出される。なお、不快指数は、相対湿度を用いた従来既知の計算式によって導出される。
【００１０】
さら、設定不快指数導出手段によって、室内機の運転を開始させてからの設定温度の変更履歴に基づいた不快指数である設定不快指数が導出される。設定不快指数は、室内機に対して設定された設定温度の変更履歴から室内に居る利用者の快適性を推定した指数である。設定温度が温度の高くなる＋側に変更されていると、利用者は寒くて不快と感じており、設定温度が温度の低くなる−側に変更されていると、利用者は暑くて不快と感じており、変更が無いと、利用者は快適である、もしくは大きな不満はないと推定できる。すなわち、設定不快指数は、利用者毎に感じ方が異なる快適性の相違を加味した指数といえる。
【００１１】
そして、制御手段によって、不快指数が設定不快指数を超えない場合に、空気調和機に省エネルギー運転を行わせる。不快指数が設定不快指数を超えない場合とは、不快に思っている利用者が少ないと判断できるためである。一方、不快指数が設定不快指数を超える場合には、不快に思っている利用者が多いと判断できるため、制御手段は、空気調和機の省エネルギー運転を行わない。省エネルギー運転は、空気調和機の能力を低下させ、快適性を損なわせる可能性があるためである。
【００１２】
このように、本構成は、室内機の吸込み温度、冷媒の蒸発温度、及び室内機の設定温度の変更履歴を用いて空気調和機の利用者の快適性を判定しているので、ＰＭＶ等で必要な多くの情報を用いることなく、また新たなセンサの追加をすることなく、快適性の評価を行い、省エネルギー運転の実施可否を判断できる。
【００１３】
上記第１態様では、前記第２温度検知手段が、前記室内機に流される冷媒の循環量を一定に保ちながら運転している状態において、前記蒸発温度を検知することが好ましい。
【００１４】
本構成によれば、冷媒の蒸発温度は、室内機に流される冷媒の循環量を一定に保ちながら運転している状態で検知される。冷媒の蒸発温度は、室内機の熱負荷だけでなく、冷媒の循環量の変化によっても変化する。しかし、冷媒の循環量を一定に保つことによって、冷媒の蒸発温度は、冷媒の循環量の影響を受けずに、室内機の熱負荷によってのみ変化する。このため、本構成は、室内機の熱負荷のみに応じた冷媒の蒸発温度を検知することとなり、簡易な構成で室内の相対湿度をより正確に求めることが可能となる。
【００１５】
上記第１態様では、前記設定不快指数導出手段が、一台の室外機に対して複数の前記室内機が設けられている場合、前記設定温度を変化させた前記室内機の容量割り合いに応じて、前記設定不快指数を導出することが好ましい。
【００１６】
本構成によれば、室内機が複数設けられている場合、設定温度を変化させた室内機の容量割り合いに応じて設定不快指数が導出されるので、室内機が複数設けられていても、簡易に平均化した設定不快指数を導出できる。
【００１７】
上記第１態様では、前記設定不快指数導出手段が、前記室内機が起動してから室温が安定する所定時間経過した後における、前記設定温度の変更履歴に基づいて前記設定不快指数を導出することが好ましい。
【００１８】
室内機が起動した直後は、室内温度は安定していない。このため、利用者は、設定温度を頻繁に変更させる可能性が有る。そこで、本構成によれば、室内機が起動してから室温が安定する所定時間経過した後における、設定温度の変更履歴に基づいて設定不快指数が導出されるので、より適正な設定不快指数を導出することができる。
【００１９】
本発明の第２態様に係る空気調和機は、室外機と、室内機と、上記記載の制御装置と、
を備える。なお、空気調和機は、１台の室外機に複数台の室内機が接続されてもよいし、１台の室外機に１台の室内機が接続されてもよい。
【００２０】
本発明の第３態様に係る空気調和機の制御方法は、室内機の吸込み温度、及び冷媒の蒸発温度を検知する第１工程と、検知した前記吸い込み温度及び前記蒸発温度に基づいた相対湿度を用いて、不快指数を導出する第２工程と、前記室内機の運転を開始させてからの設定温度の変更履歴に基づいた不快指数である設定不快指数を導出する第３工程と、導出した前記不快指数が前記設定不快指数を超えない場合に、空気調和機に省エネルギー運転を行わせる第４工程と、を含む。
【発明の効果】
【００２１】
本発明によれば、多くの情報を用いることなく快適性の評価を行い、省エネルギー運転の実施可否を判断できる、という優れた効果を有する。
【図面の簡単な説明】
【００２２】
【図１】本発明の第１実施形態に係る空気調和機の構成を示すブロック図である。
【図２】本発明の第１実施形態に係る空調機制御装置の構成を示すブロック図である。
【図３】本発明の第１実施形態に係る省エネルギー運転処理の流れを示すフローチャートである。
【図４】本発明の第１実施形態に係る圧縮機回転数導出処理の流れを示すフローチャートである。
【図５】本発明の第１実施形態に係る不快指数導出処理の流れを示すフローチャートである。
【図６】本発明の第１実施形態に係る室内熱交換器温度、室内吸込み温度、及び相対湿度との関係の例を示すグラフである。
【図７】本発明の第１実施形態に係る設定不快指数導出処理の流れを示すフローチャートである。
【図８】本発明の第２実施形態に係る空気調和機の構成を示すブロック図である。
【発明を実施するための形態】
【００２３】
以下に、本発明に係る空気調和機の制御装置、空気調和機、及び空気調和機の制御方法の一実施形態について、図面を参照して説明する。
【００２４】
〔第１実施形態〕
以下、本発明の第１実施形態について説明する。
【００２５】
図１は、本第１実施形態に係る空気調和機１０の全体構成を示したブロック図である。
空気調和機１０は、１台の室外機１２、室外機１２に冷媒配管１４を介して接続された複数台の室内機１６、室外機１２及び室内機１６を制御する空調機制御装置１８を備える。なお、図１に示される室内機１６の数は一例であり、室外機１２に接続される室内機１６の台数は２台以上であればよい。また、各室内機１６の容量は、各々同一であってもよいし、各々異なっていてもよい。
【００２６】
図２は、本第１実施形態に係る空調機制御装置１８の構成を示すブロック図である。
空調機制御装置１８は、第１温度センサ２０、第２温度センサ２２、圧縮機回転数導出部２４、不快指数導出部２６、設定不快指数導出部２８、及び制御部３０を備えている。
【００２７】
第１温度センサ２０は、室内機１６の吸込み温度を検知する。室内機の吸込み温度は、すなわち室温である。
【００２８】
第２温度センサ２２は、冷媒の蒸発温度を検知する。冷媒の蒸発温度は、室内機１６の熱負荷等によって変化するものであり、室内熱交換器の温度に相当する。このため、第２温度センサ２２は、冷媒の蒸発温度として、室内熱交換器の温度（以下、「室内熱交温度」という。）を検出する。
【００２９】
なお、第１温度センサ及び第２温度センサ２２は、室内機１６毎に設けられている。
【００３０】
圧縮機回転数導出部２４は、室外機１２が備える圧縮機の回転数の適正値を導出する。
【００３１】
不快指数導出部２６は、第１温度センサ２０によって検知された吸い込み温度及び第２温度センサ２２によって検知された室内熱交温度に基づいた相対湿度を用いて、不快指数を導出する。
【００３２】
設定不快指数導出部２８は、室内機１６の運転を開始させてからの設定温度の変更履歴に基づいた不快指数である設定不快指数を導出する。設定温度は、利用者によって操作されるリモコン等の操作装置により設定される温度であり、設定温度の変更履歴は、設定温度履歴記憶部３２に記憶される。
【００３３】
設定温度履歴記憶部３２に記憶される設定温度の変更履歴は、室内機１６が起動してから室温が安定する所定時間経過した後における変更履歴である。室内機１６が起動した直後は、室内温度は安定していないため、利用者は、設定温度を頻繁に変更させる可能性が有る。このように、室温が安定していない状態における設定温度の履歴に基づいて設定不快指数を導出しても、精度の高い設定不快指数とはならないため、室内機１６が起動してから室温が安定する所定時間経過した後における変更履歴が、設定温度履歴記憶部３２に記憶される。
なお、室温が安定するまでの所定時間として、例えば３０分を適用するが、室内機１６が設けられている部屋の大きさや、室内機１６の容量等に応じて、室内機１６毎に異なる値であってもよい。
また、設定温度履歴記憶部３２には、複数の室内機１６毎に設定温度の変更履歴が記憶されている。
【００３４】
そして、設定不快指数は、室内機１６に対して設定された設定温度から室内に居る利用者の快適性を推定した指数である。設定温度が温度の高くなる＋側に変更されていると、利用者は寒くて不快と感じており、設定温度が温度の低くなる−側に変更されていると、利用者は暑くて不快と感じており、変更が無いと、利用者は快適、もしくは大きな不満はないと感じていることとなる。すなわち、設定不快指数は、利用者毎に感じ方が異なる快適性の相違を加味した指数といえる。
【００３５】
制御部３０は、空気調和機１０全体の制御を司り、空気調和機１０に省エネルギー運転の指示がされ、不快指数導出部２６によって導出された不快指数が設定不快指数導出部２８によって導出された設定不快指数を超えない場合に、空気調和機１０に省エネルギー運転を行われる処理（以下、「省エネルギー運転処理」という。）を実行させる。なお、省エネルギー運転とは、空気調和機１０の消費電力を抑制する運転であり、例えば圧縮機の回転数を低下させる運転等である。
【００３６】
図３は、省エネルギー運転処理が行われる場合に、空気調和機１０によって実行されるプログラムの処理の流れを示すフローチャートであり、該プログラムは空調機制御装置１８の所定領域に予め記憶され、空気調和機１０の運転開始の指示が入力されると共に開始される。
【００３７】
まず、ステップ１００では、設定不快指数の初期値を設定する。初期値の具体例としては、不図示の記憶手段に予め記憶された設定不快指数を読み出して設定したり、前回の省エネルギー運転を終了させたときの設定不快指数を初期値としてもよい。なお、本第１実施形態では、一例として、初期値を７０％に設定する。
【００３８】
次のステップ１０２では、省エネルギー運転ではない、通常運転で空気調和機１０に運転を開始させる。
【００３９】
次のステップ１０４では、省エネルギー運転の指示が有るか否かを判定し、肯定判定の場合は、ステップ１０８へ移行し、否定判定の場合は、ステップ１０６へ移行する。本第１実施形態に係る省エネルギー運転の指示は、利用者によって各室内機１６に対応した各リモコンで行われてもよいし、空気調和機１０の管理者によって空気調和機１０全体としての制御指示を入力するコントローラによって行われてもよい。なお、利用者によってリモコンで省エネルギー運転の指示を行う場合は、予め空気調和機１０の管理者の許可を必要とする。
【００４０】
ステップ１０６では、空気調和機１０の運転停止の指示が有るか否かを判定し、肯定判定の場合は、ステップ１２２へ移行し、否定判定の場合は、ステップ１０４へ戻り、省エネルギー運転の指示又は運転停止の指示が有るまで空気調和機１０に通常運転を行わせる。
【００４１】
ステップ１０８では、圧縮機回転数導出部２４によって圧縮機の回転数を導出し、導出した回転数を保ちながら圧縮機を回転させる圧縮機回転数導出処理を行う。圧縮機回転数導出処理の詳細は後述する。
【００４２】
次のステップ１１０では、不快指数導出部２６によって不快指数を導出する不快指数導出処理を行う。不快指数導出処理の詳細は後述する。
【００４３】
次のステップ１１２では、設定不快指数導出部２８によって設定不快指数を導出する設定不快指数導出処理を行う。設定不快指数導出処理の詳細は後述する。
【００４４】
次のステップ１１４では、不快指数が設定不快指数を超えないか否かを判定し、肯定判定の場合は、ステップ１１６へ移行し、否定判定の場合は、ステップ１０４へ戻り、再び省エネルギー運転の指示又は運転停止の指示が有るまで空気調和機１０に通常運転を行わせる。
【００４５】
ステップ１１６では、空気調和機１０に省エネルギー運転を開始させる。
このように、不快指数が設定不快指数を超えない場合には、不快に思っている利用者が少ないと判断できるため、制御部３０は、空気調和機１０に省エネルギー運転を開始させる。一方、不快指数が設定不快指数を超える場合には、不快に思っている利用者が多いと判断できるため、制御部３０は、空気調和機の省エネルギー運転を行わない。省エネルギー運転は、空気調和機の能力を低下させ、快適性を損なわせる可能性があるためである。
【００４６】
次のステップ１１８では、空気調和機１０の運転停止の指示が有るか否かを判定し、肯定判定の場合は、ステップ１２２へ移行し、否定判定の場合は、ステップ１２０へ移行する。
【００４７】
ステップ１２０では、所定時間経過したか否かを判定し、肯定判定の場合は、ステップ１０４へ戻り、否定判定の場合は、ステップ１１８へ戻る。なお、所定時間とは、例えば３０分である。すなわち、ステップ１２０は、省エネルギー運転を行う継続時間であり、再び省エネルギー運転を行う場合は、省エネルギー運転の指示が行われる。または、例えば数時間といったような長い時間、省エネルギー運転を連続して行う場合には、省エネルギー運転の指示と共に連続時間を入力することによって、省エネルギー運転処理がステップ１２０からステップ１０４へ戻ったときに、自動的に省エネルギー運転の指示が空調機制御装置１８へ入力されるとしてもよい。
【００４８】
ステップ１２２では、空気調和機１０の運転を停止させ、本プログラムを終了する。
【００４９】
図４は、本第１実施形態に係る圧縮機回転数導出処理の流れを示すフローチャートである。
【００５０】
まず、ステップ２００では、運転中の室内機１６の容量の総量（以下、「総容量」という。）を検出する。
【００５１】
次のステップ２０２では、ステップ２００で検出した総容量に基づいて、圧縮機の回転数を導出する。なお、空調機制御装置１８は、圧縮機の回転数と総容量との関係をデータベースとして予め記憶している。このため、本ステップ２０２では、この記憶しているデータベースから検出した総容量に対応する圧縮機の回転数を導出する。
【００５２】
次のステップ２０４では、圧縮機の回転数をステップ２０２で導出した圧縮機の回転数に固定して圧縮機を駆動させ、不快指数導出処理へ移行する。圧縮機の回転数が固定されることで、室内機１６に流される冷媒の循環量が一定に保たれる。
【００５３】
ここで、冷媒の循環量を一定に保つ理由を説明する。冷媒の蒸発温度は、室内機１６の熱負荷だけでなく、冷媒の循環量の変化によっても変化する。しかし、冷媒の循環量を一定に保つことによって、冷媒の蒸発温度は、冷媒の循環量の影響を受けずに、室内機１６の熱負荷によってのみ変化する。このため、冷媒の循環量を一定に保つことによって、室内機１６の熱負荷のみに応じた冷媒の蒸発温度を検知することとなる。これにより、次に行われる不快指数導出処理において、簡易な構成で室内の相対湿度をより正確に求めることが可能となる。
【００５４】
図５は、本第１実施形態に係る不快指数導出処理の流れを示すフローチャートである。
【００５５】
まず、ステップ３００では、運転中の全ての室内機に設けられている第１温度センサ２０及び第２温度センサ２２によって、各室内機１６の吸込み温度及び室内熱交換温度を検出する。
【００５６】
次のステップ３０２では、ステップ３００で検出した各室内機１６の吸込み温度及び室内熱交換温度の平均値を算出する。
【００５７】
次のステップ３０４では、算出した吸込み温度及び室内熱交換温度の平均値に基づいて、相対湿度を導出（推定）する。なお、本第１実施形態で導出される相対湿度は、室内機が設けられている各部屋の相対湿度の平均値となる。
【００５８】
空調機制御装置１８は、図６に示されるような吸い込み温度、室内熱交温度、及び相対湿度との関係を示したデータベースを予め記憶している。
図６に示されるグラフは、横軸が相対湿度、縦軸が室内熱交温度である。そして、異なる吸込み温度毎に応じた室内熱交温度と相対湿度との関係が線で表わされている。すなわち、相対湿度は、吸込み温度に応じた線上の室内熱交温度に対応した値として導出される。
【００５９】
次のステップ３０６では、導出した平均相対湿度から不快指数を導出し、設定不快指数同導出処理へ移行する。不快指数は、相対湿度、乾球温度、及びこれらに乗算等する係数からなる従来既知の計算式から求められる。
【００６０】
図７は、本第１実施形態に係る設定不快指数導出処理の流れを示すフローチャートである。
【００６１】
まず、ステップ４００では、室内機１６の運転を開始させてから室内機１６の設定温度に変更が有るか否かを判定し、肯定判定の場合は、ステップ４０２へ移行し、否定判定の場合は、ステップ１１４へ移行する。なお、室内機１６の設定温度の変更の有無は、設定温度履歴記憶部３２に記憶されている変更履歴から判定される。複数の室内機のうち、一台でも設定温度が変更されている場合は、ステップ４０２へ移行する。
【００６２】
ステップ４０２では、設定温度が＋側に変更された室内機１６及び−側に変更された室内機１６の容量をカウントする。なお、ここでいうカウントとは、運転中の室内機１６の総容量に対する、設定温度が＋側又は−側に変更された室内機１６の容量の比率（容量割り合い）を算出することである。
ここで、本第１実施形態において、設定温度が変更された室内機１６として、室内機１６の台数ではなく、容量をカウントしている理由について述べる。
例えば、１台の室外機１２に２台の室内機１６が接続され、設定温度が変更された室内機１６が１台であった場合、台数をカウントすると５０％となる。しかし、１馬力と９馬力の２台の室内機１６が接続されている場合であって、１馬力の室内機１６が変更されている場合と９馬力の室内機１６が変更されている場合とでは、様相が異なる。このため、室内機１６の容量、すなわち室内機１６の能力をカウントすることによって、利用者が快適に感じているか否かを、より正確に把握する。
【００６３】
次のステップ４０４では、室内機１６の５０％以上が＋側に変更されているか否かを判定し、肯定判定の場合は、ステップ４０６へ移行し、設定不快指数の初期値に所定値（例えば１）を加算した後、ステップ１１４へ移行する。一方、ステップ４０４で、否定判定の場合は、ステップ４０８へ移行する。
【００６４】
ステップ４０８では、室内機１６の５０％以上が−側に変更されているか否かを判定し、肯定判定の場合は、ステップ４１０へ移行し、設定不快指数の初期値から所定値（例えば１）を除算した後、ステップ１１４へ移行する。一方、ステップ４０８で、否定判定の場合は、設定不快指数を変更することなく、ステップ１１４へ移行する。
【００６５】
このように、一台の室外機１２に対して複数の室内機１６が設けられた設定不快指数導出処理では、設定温度を変化させた室内機１６の容量割り合いに応じて、設定不快指数を導出する。
なお、図７に示した設定不快指数導出処理は、一例であり、例えば、設定不快指数の初期値に加算又は除算する所定値を１以外の値としてもよい。また、設定不快指数に所定値を加算又は除算する場合の、設定温度が変更された室内機の容量割り合いを５０％以外の他の値としてもよい。
また、繰り返し、省エネルギー運転を行う場合には、所定値を加算又は除算する設定不快指数の初期値を、ステップ１００で設定した初期値とせずに、前回の設定不快指数導出処理で導出した設定不快指数としてもよい。
【００６６】
以上説明したように、本第１実施形態に係る空調機制御装置１８は、室内機１６の吸込み温度を検知する第１温度センサ２０と、冷媒の蒸発温度に相当する室内熱交温度を検知する第２温度センサ２２と、吸い込み温度及び室内熱交温度に基づいた相対湿度を用いて、不快指数を導出する不快指数導出部２６と、室内機１６の運転を開始させてからの設定温度の変更履歴に基づいた不快指数である設定不快指数を導出する設定不快指数導出部２８と、不快指数が設定不快指数を超えない場合に、空気調和機１０に省エネルギー運転を行わせる制御部３０と、を備える。
このように、本第１実施形態に係る空調機制御装置１８は、室内機１６の吸込み温度、冷媒の蒸発温度、及び室内機１６の設定温度の変更履歴を用いて空気調和機１０の利用者の快適性を判定しているので、多くの情報を用いることなく快適性の評価を行い、省エネルギー運転の実施可否を判断できる。
【００６７】
また、本第１実施形態に係る第２温度センサ２２は、冷媒の蒸発温度を、室内機１６に流される冷媒の循環量が一定に保ちながら運転されている状態で検知するので、室内機１６の熱負荷のみに応じた冷媒の蒸発温度を検知することとなり、簡易な構成で室内の相対湿度をより正確に求めることが可能となる。
【００６８】
また、本第１実施形態に係る空調機制御装置１８は、室内機１６が複数設けられている場合、設定温度を変化させた室内機１６の容量割り合いに応じて設定不快指数を導出するので、室内機１６が複数設けられていても、簡易に平均化した設定不快指数を導出できる。
【００６９】
また、本第１実施形態に係る空調機制御装置１８は、室内機１６が起動してから室温が安定する所定時間経過した後における、設定温度の変更履歴に基づいて設定不快指数を導出するので、より適正な設定不快指数を導出することができる。
【００７０】
〔第２実施形態〕
以下、本発明の第２実施形態について説明する。
【００７１】
図８は、本第２実施形態に係る空気調和機１０の全体構成を示したブロック図である。なお、図８における図１と同一の構成部分については図１と同一の符号を付して、その説明を省略する。
【００７２】
本第２実施形態に係る空気調和機１０は、１台の室外機１２、室外機１２に冷媒配管１４を介して接続された１台の室内機１６、室外機１２及び室内機１６を制御する空調機制御装置１８を備える。
【００７３】
なお、本第２実施形態に係る空気調和機１０の構成は、図２に示す第１実施形態に係る空気調和機１０の構成と同様であるので説明を省略する。
【００７４】
また、本第２実施形態に係る省エネルギー運転処理の流れは、図３に示す第１実施形態に係る省エネルギー運転処理の流れと同様である。ただし、本第１実施形態に係る不快指数導出処理で行われる、吸込み温度及び室内熱交換温度の平均値を算出する処理は、本第２実施形態では必要としない。また、本第２実施形態に係る設定不快指数導出処理は、１台の室内機１６の設定温度の変更のみによって、設定不快指数の導出を行う。
【００７５】
以上、本発明を、上記各実施形態を用いて説明したが、本発明の技術的範囲は上記実施形態に記載の範囲には限定されない。発明の要旨を逸脱しない範囲で上記各実施形態に多様な変更または改良を加えることができ、該変更または改良を加えた形態も本発明の技術的範囲に含まれる。
【００７６】
また、上記各実施形態で説明した省エネルギー運転処理の流れも一例であり、本発明の主旨を逸脱しない範囲内において不要なステップを削除したり、新たなステップを追加したり、処理順序を入れ替えたりしてもよい。
【符号の説明】
【００７７】
１０    空気調和機
１２    室外機
１６    室内機
１８    空調機制御装置
２０    第１温度センサ
２２    第２温度センサ
２４    圧縮機回転数導出部
２６    不快指数導出部
２８    設定不快指数導出部
３０    制御部
【図１】
2013130371.tif 000003
【図２】
2013130371.tif 000004
【図３】
2013130371.tif 000005
【図４】
2013130371.tif 000006
【図５】
2013130371.tif 000007
【図６】
2013130371.tif 000008
【図７】
2013130371.tif 000009
【図８】
2013130371.tif 000010